(57)【特許請求の範囲】
【請求項１】
ＩＣカードを受け入れる挿入室、
前記ＩＣカードの前列に配列された複数の接点と接触する複数の接点端子、及び
前記ＩＣカードの後列に配列された複数の接点と接触する２つの接点端子
を備えたＩＣカード入出力装置であって、
前記前列及び後列は前記ＩＣカードの挿入方向と直角な方向であり、前記後列が前記前列に比べて前記挿入室の開口側であり、
前記複数の接点端子のすべてが、前記挿入室内で前記２つの接点端子の間に配置され、前記複数の接点端子のうち２つの接点端子の距離が、前記ＩＣカードの挿入方向と反対の方向に向かって小さくなり、前記２つの接点端子の距離が前記ＩＣカードの挿入方向と反対の方向に向かって小さくなっていることを特徴とするＩＣカード入出力装置。
【請求項２】
前記複数の各接点端子が、端子部と前記前列に配列された前記複数の接点と接触する折返し部とを具備し、前記折返し部が前記端子部側に向かって曲げられ、前記折返し部が前記端子部に比べて前記挿入室の前記開口側に配置され、
前記２つの各接点端子が、端子部と前記後列に配列された前記複数の接点と接触する折返し部とを具備し、前記折返し部が前記端子部側に向かって曲げられ、前記折返し部が前記端子部に比べて前記挿入室の前記開口側に配置されていることを特徴とする請求項１に記載のＩＣカード入出力装置。
【請求項３】
ＩＣカードを受け入れる挿入室、
前記ＩＣカードの前列に配列された複数の接点と接触する複数の接点端子、及び
前記ＩＣカードの後列に配列された複数の接点と接触する２つの接点端子
を備えたＩＣカード出力装置であって、
前記前列及び後列は前記ＩＣカードの挿入方向と直角な方向であり、前記後列が前記前列に比べて前記挿入室の開口側であり、
前記複数の接点端子のすべてが、前記挿入室内で前記２つの接点端子の間に配置され、前記複数の接点端子のうち２つの接点端子の距離が、前記ＩＣカードの挿入方向と反対の方向に向かって小さくなり、前記２つの接点端子の距離が前記ＩＣカードの挿入方向と反対の方向に向かって小さくなっていることを特徴とするＩＣカード出力装置。
【請求項４】
前記複数の各接点端子が、端子部と前記前列に配列された前記複数の接点と接触する折返し部とを具備し、前記折返し部が前記端子部側に向かって曲げられ、前記折返し部が前記端子部に比べて前記挿入室の前記開口側に配置され、
前記２つの各接点端子が、端子部と前記後列に配列された前記複数の接点と接触する折返し部とを具備し、前記折返し部が前記端子部側に向かって曲げられ、前記折返し部が前記端子部に比べて前記挿入室の前記開口側に配置されていることを特徴とする請求項３に記載のＩＣカード出力装置。
【発明の詳細な説明】
【０００１】
【発明の属する技術分野】
本発明は、金融、医療、通信等の分野で個人情報などのデータを記憶するＩＣカード用のＩＣカード入出力装置、及びＩＣカード出力装置に関する。
【０００２】
【従来の技術】
ＩＣカードは、カード状のプレートとカード状のプレートに埋設した集積回路とを有している。集積回路は、マイクロプロセッサユニットとメモリとを含んだものであり、半導体チップのワンチップ上に形成されている。近年、ＩＣカードは、多機能性及びメモリに記憶されたデータの安全性に関して優れた特徴を有するものなので、金融、医療、通信等の分野で広く実用化されている。このＩＣカードの普及とともに、データの読み取り及び書き込みに使用されるＩＣカード入出力装置、及びデータの読み取りのみに使用されるＩＣカード出力装置も、携帯可能とするために、その小型化が要求されている。
【０００３】
従来のＩＣカード入出力装置について図９、図１０の（ａ）、及び図１０の（ｂ）を参照して説明する。
図９は、特開平５−５０６７３４号公報に記載された従来のＩＣカード入出力装置を示す正面図である。図１０の（ａ）は図９に示したＩＣカード入出力装置を示す平面図であり、図１０の（ｂ）は図１０の（ａ）のＸｂ−Ｘｂ線で断面をとった断面図である。
図９に示すように、従来のＩＣカード入出力装置５０は、接点端子５３ａ及び５３ｂ（図１０の（ａ））を支持する支持部材５１ａと支持部材５１ａに固定されるカバー５１ｂとで構成された外ケース５１を有する。ＩＣカード８０（図１０の（ａ））用の挿入室５２は、その開口５２ａがＩＣカード入出力装置５０の前面側に配置されるように、設けられている。
図１０の（ａ）及び図１０の（ｂ）に示すように、４つの接点端子５３ａと４つの接点端子５３ｂとが、支持部材５１ａに配置されている。各４つの接点端子５３ａ、５３ｂは、ＩＣカード８０の挿入方向Ｘと平行に配置されている。ＩＣカード８０では、周知のように、８つの接点がＩＳＯ７８１６などの規格に準拠して２列に配列されている。例えば、図１０の（ｂ）に示すように、４つの接点端子５３ａの１つがＩＣカード８０の主面上の２列のうち一方の列に配列された接点Ｃ１と接触する。また、４つの接点端子５３ｂの１つがＩＣカード８０の主面上の２列のうち他方の列に配列された接点Ｃ５と接触する。
【０００４】
これらの接点端子５３ａ、５３ｂを具体的に説明すると、４つの各接点端子５３ａは、端子部５３ａａと接点５３ａｃを有する終端部５３ａｂとを具備する。端子部５３ａａは、図１０の（ｂ）の２点鎖線で示したプリント回路基板５４に接続固定されている。終端部５３ａｂは、端子部５３ａａに関して開口５２ａ側に配置されている。終端部５３ａｂは、接点５３ａｃが所定の接触圧力で接点Ｃ１と接触するように、カバー５１ｂ側に付勢されている。
同様に、４つの各接点端子５３ｂは、端子部５３ｂａと接点５３ｂｃを有する終端部５３ｂｂとを具備する。端子部５３ｂａは、プリント回路基板５４に接続固定されている。終端部５３ｂｂは、端子部５３ｂａに関して開口５２ａ側に配置されている。終端部５３ｂｂは、接点５３ｂｃが所定の接触圧力で接点Ｃ５と接触するように、カバー５１ｂ側に付勢されている。
【０００５】
この従来のＩＣカード入出力装置５０では、ＩＣカード８０が挿入室５２の奥まで挿入されると、接点５３ａｃと５３ｂｃとがＩＣカード８０の接点と接触する。それにより、従来のＩＣカード入出力装置５０とＩＣカード８０との間で、データの入出力が可能となる。
【０００６】
【発明が解決しようとする課題】
上記のような従来のＩＣカード入出力装置５０では、４つの平行な接点端子５３ａが、４つの終端部５３ａｂがそれぞれ４つの終端部５３ｂｂと密接して配置されるように、挿入方向Ｘにおいて、４つの平行な接点端子５３ｂとそれぞれ直線状に配置されている。それゆえ、挿入室５２の奥行き寸法が、接点Ｃ５とＩＣカードの一端との長さＬ２と、端子部５３ｂａと接点５３ｂｃとの長さＬ３との和を少なくとも必要とする。その結果、従来のＩＣカード入出力装置５０の寸法を大幅に低減できないという問題点があった。
さらに、従来のＩＣカード入出力装置５０では、各部分Ｌ４とＬ４’は、バネとして機能していなかった。それゆえ、所定の接触圧力を得るためには、長さＬ３及び終端部５３ａａと接点５３ａｃとの長さＬ３’をできる限り長くすることが要求された。
【０００７】
さらに、従来のＩＣカード入出力装置５０では、接点端子５３ａに永久変形が生じる恐れがあった。
この永久変形について図１１の（ａ）及び図１１の（ｂ）を参照して説明する。図１１の（ａ）は図１０の（ｂ）に示した接点端子がＩＣカードの主面上に乗り上げる前の状態を示す説明図であり、図１１の（ｂ）は同接点端子がＩＣカードの主面上に乗り上げた後の状態を示す説明図である。
図１１の（ａ）及び図１１の（ｂ）に示すように、終端部５３ａｂがＩＣカード８０の主面上に乗り上げるとき、ＩＣカード８０の前端からの押す力が、終端部５３ａｂから端子部５３ａａに直接作用する。そのことにより、ＩＣカード８０が挿入室５２内に挿入されるにつれて、終端部５３ａｂで内部応力が大きくなる。その結果、接点端子５３ａに永久変形が生じる恐れがあった。
【０００８】
これに対して、挿入室の面積を低減するために、接点端子の配列を改善することが、特開平５−６４６６号公報などにより知られている。
図１２を参照して、このような改善された接点端子の配列について説明する。図１２は、特開平５−６４６６号公報に記載された従来のＩＣカード入出力装置での接点端子の配列を示す説明図である。
図１２に示すように、３つの短い接点端子６１ａが接点の列と直角な方向に関して所定の角度で傾いて配列され、３つの接点Ｃ５−−−Ｃ７とそれぞれ接触している。同様に、３つの長い接点端子６１ｂが接点の列と直角な方向に関して所定の角度で傾いて配列され、３つの接点Ｃ１−−−Ｃ３とそれぞれ接触している。さらに、３つの短い接点端子６１ａと３つの長い接点端子６１ｂとは、接点の列と直角な方向で交互に配置されている。このように、この従来のＩＣカード入出力装置では、接点端子の配列の改善により、挿入室の面積を低減していた。
【０００９】
しかしながら、この従来のＩＣカード入出力装置では、接点端子６１ａと接点端子６１ｂとを絶縁するために、接点端子６１ａ、６１ｂの幅を２つの接点の距離Ｐの半分より大きくすることができなかった。それゆえ、このような小さな幅Ｗのために、接点端子６１ａ、６１ｂの強度が十分でないという問題点があった。  さらに、この従来のＩＣカード入出力装置では、接点端子６１ａの側面図である図１３の矢印Ｙ及びＺで示した方向からＩＣカード８０を挿入するのに適したものであった。すなわち、この従来のＩＣカード入出力装置では、矢印Ｚと反対の方向からＩＣカード８０を挿入するのには不適なものであった。
【００１０】
この発明は、以上のような問題点を解決するためになされたものであり、挿入室の奥行き寸法が小さい、きわめて小型のＩＣカード入出力装置、及びＩＣカード出力装置を提供することを目的とする。
【００１１】
【課題を解決するための手段】
本発明のＩＣカード入出力装置またはＩＣカード出力装置は、ＩＣカードを受け入れる挿入室内において、ＩＣカードの前列に配列された複数の接点と接触する複数の接点端子が、ＩＣカードの後列に配列された複数の接点と接触する少なくとも２つの接点端子の間に配置されている。
このように構成することにより、挿入室の奥行き寸法を低減することができ、ＩＣカード入出力装置、及びＩＣカード出力装置をきわめて小型にすることができる。
【００１２】
【発明の実施の形態】
本発明のＩＣカード入出力装置は、ＩＣカードを受け入れる挿入室、前記ＩＣカードの前列に配列された複数の接点と接触する複数の接点端子、及び前記ＩＣカードの後列に配列された複数の接点と接触する２つの接点端子を備えたＩＣカード入出力装置であって、前記前列及び後列は前記ＩＣカードの挿入方向と直角な方向であり、前記後列が前記前列に比べて前記挿入室の開口側であり、前記複数の接点端子のすべてが、前記挿入室内で前記２つの接点端子の間に配置され、前記複数の接点端子のうち２つの接点端子の距離が、前記ＩＣカードの挿入方向と反対の方向に向かって小さくなり、前記２つの接点端子の距離が前記ＩＣカードの挿入方向と反対の方向に向かって小さくなっている。このため、挿入室の奥行き寸法を低減することができ、ＩＣカード入出力装置をきわめて小型にすることができる。
【００１３】
さらに、他の発明のＩＣカード入出力装置は、前記複数の各接点端子が、端子部と前記前列に配列された前記複数の接点と接触する折返し部とを具備し、前記折返し部が前記端子部側に向かって曲げられ、前記折返し部が前記端子部に比べて前記挿入室の前記開口側に配置され、前記２つの各接点端子が、端子部と前記後列に配列された前記複数の接点と接触する折返し部とを具備し、前記折返し部が前記端子部側に向かって曲げられ、前記折返し部が前記端子部に比べて前記挿入室の前記開口側に配置されている。このため、挿入室の奥行き寸法を低減することができ、ＩＣカード入出力装置をきわめて小型にすることができる。
【００１４】
本発明のＩＣカード出力装置は、ＩＣカードを受け入れる挿入室、前記ＩＣカードの前列に配列された複数の接点と接触する複数の接点端子、及び前記ＩＣカードの後列に配列された複数の接点と接触する２つの接点端子を備えたＩＣカード出力装置であって、前記前列及び後列は前記ＩＣカードの挿入方向と直角な方向であり、前記後列が前記前列に比べて前記挿入室の開口側であり、前記複数の接点端子のすべてが、前記挿入室内で前記２つの接点端子の間に配置され、前記複数の接点端子のうち２つの接点端子の距離が、前記ＩＣカードの挿入方向と反対の方向に向かって小さくなり、前記２つの接点端子の距離が前記ＩＣカードの挿入方向と反対の方向に向かって小さくなっている。このため、挿入室の奥行き寸法を低減することができ、ＩＣカード入出力装置をきわめて小型にすることができる。
【００１５】
さらに、他の発明のＩＣカード出力装置は、前記複数の各接点端子が、端子部と前記前列に配列された前記複数の接点と接触する折返し部とを具備し、前記折返し部が前記端子部側に向かって曲げられ、前記折返し部が前記端子部に比べて前記挿入室の前記開口側に配置され、前記２つの各接点端子が、端子部と前記後列に配列された前記複数の接点と接触する折返し部とを具備し、前記折返し部が前記端子部側に向かって曲げられ、前記折返し部が前記端子部に比べて前記挿入室の前記開口側に配置されている。このため、挿入室の奥行き寸法を低減することができ、ＩＣカード入出力装置をきわめて小型にすることができる。
【００２０】
【実施例】
以下、本発明のＩＣカード入出力装置、およびＩＣカード出力装置の好ましい実施例について図面を参照して説明する。
【００２１】
《実施例１》
まず、本発明のＩＣカード入出力装置１に使用されるＩＣカード８０について図８を参照して説明する。
図８は、ＩＣカードの８つの接点の配列を示す平面図である。
図８に示すように、８つの接点Ｃ１、Ｃ２、Ｃ３、Ｃ４、Ｃ５、Ｃ６、Ｃ７、及びＣ８が、２列に配列されるように、ＩＳＯ７８１６に準拠してそれぞれ所定の位置に配置されている。尚、下記説明において、４つの接点Ｃ１〜Ｃ４で構成された一方の列を”前列”と略称し、４つの接点Ｃ５〜Ｃ８で構成された他方の列を”後列”と略称する。さらに、ＩＳＯ７８１６では、８つの接点Ｃ１〜Ｃ８の各機能が以下のように規定されている：
Ｃ１  ”ＶＣＣ”
Ｃ２  ”ＲＳＴ”
Ｃ３  ”ＣＬＫ”
Ｃ５  ”ＧＮＤ”
Ｃ６  ”ＶＰＰ”
Ｃ７  ”Ｉ／Ｏ”
Ｃ４及びＣ８  将来のための予備端子。
上述したように、８つの接点Ｃ１〜Ｃ８は、ＩＳＯ７８１６に準拠している。しかしながら、接点Ｃ４及びＣ８は、将来の機能付加のためのものであり；それ故、接点Ｃ４及びＣ８をＩＣカード８０に必ずしも設ける必要はない。実際、ＩＣカード８０は、図８の破線で示した接点Ｃ４及びＣ８がない、６つの接点Ｃ１〜Ｃ３、Ｃ５〜Ｃ７のものが一般的である。さらに、ＩＣカード８０のほとんどのものは、内蔵する電源回路（図示せず）でデータを消去するためのプログラム電圧を発生している。それ故、プログラム電圧をＩＣカード入出力装置１から接点Ｃ６を介して供給する必要がない。
従って、接点Ｃ１、Ｃ２、Ｃ３、Ｃ５及びＣ７がＩＣカード入出力装置１と電気的に接続されたとき、ＩＣカード入出力装置１はＩＣカード８０からデータを読み出せ、かつＩＣカード８０にデータを書き込むことができる。それ故、接点Ｃ１、Ｃ２、Ｃ３、Ｃ５及びＣ７に適合したＩＣカード入出力装置１について、本実施例に示す。
【００２２】
図１は、本発明の実施例１であるＩＣカード入出力装置を示す分解斜視図である。図２は、図１に示したＩＣカード入出力装置を示す正面図である。
図１及び図２に示すように、ＩＣカード入出力装置１は、カバー２と開口３ａを有するケース３を具備している。カバー２はケース３と係合し、カバー２とケース３とでＩＣカード入出力装置１の外ケースを構成する。ケース３は、回路基板４、３つの接点端子５ａ１、５ａ２、５ａ３、２つの接点端子５ａ５、５ａ７、及び内蓋６を収納する。開口３ａは、挿入室７の入り口として働くものである。ケース３の内面は、ケース３のストッパー３ｂと内蓋６とで区画されている。さらに、ケース３には、ＩＣカード８０を支持する複数のリブ３ｃが設けられている。尚、複数のリブ３ｃは、ＩＣカード８０の挿入方向（図１の矢印Ａ）と平行に挿入室７の内部に設けられている。
回路基板４は、ネジなどにより内蓋６に固定されている。３つの接点端子５ａ１、５ａ２、５ａ３と２つの接点端子５ａ５、５ａ７とは、３つの接点端子５ａ１、５ａ２、５ａ３が２つの接点端子５ａ５、５ａ７の間に互いに絶縁されて配置されるように、回路基板４に設けられている。３つの接点端子５ａ１、５ａ２、５ａ３のうち２つの接点端子の距離が、ＩＣカードの挿入方向Ａと反対の方向に向かって小さくなり、少なくとも２つの接点端子５ａ５、５ａ７の２つの接点端子の距離が前記ＩＣカードの挿入方向Ａと反対の方向に向かって小さくなっている。ＩＣカード８０が挿入室７の一番奥まで挿入されたとき、３つの接点端子５ａ１、５ａ２、５ａ３は前列に配列された接点Ｃ１、Ｃ２、Ｃ３にそれぞれ接触する。さらに、２つの接点端子５ａ５、５ａ７は後列に配列された接点Ｃ５、Ｃ７にそれぞれ接触する。そのことにより、データがＩＣカード入出力装置１とＩＣカード８０との間でやりとりされる。
内蓋６は、３つの接点端子５ａ１、５ａ２、５ａ３の折返し部５ｃ１、５ｃ２、５ｃ３を受け入れる第１の切り欠き部６ａと、２つの接点端子５ａ５、５ａ７の折返し部５ｃ５、５ｃ７を受け入れる第２の切り欠き部６ｂとを有する。
【００２３】
３つの接点端子５ａ１、５ａ２、５ａ３と２つの接点端子５ａ５、５ａ７とについて、図３、図４、図５の（ａ）、及び図５の（ｂ）を参照して説明する。
図３は図１に示したＩＣカード入出力装置のＩＣカード挿入完了前における状態を示す平面図であり、図４は図３のＩＶ−ＩＶ線で断面をとった断面図である。図５の（ａ）は図１に示したＩＣカード入出力装置のＩＣカード挿入完了後における状態を示す平面図であり、図５の（ｂ）は図５のＶｂ−Ｖｂ線で断面をとった断面図である。尚、図３、図４、図５の（ａ）、及び図５の（ｂ）において、図の簡略化のために、カバー２の図示は省略している。
図３、図４、図５の（ａ）、及び図５の（ｂ）において、３つの接点端子５ａ１、５ａ２、５ａ３は、同じ形状のものである。それ故、下記説明では、接点端子５ａ２についてのみ代表して説明する。
接点端子５ａ２は、一端に設けられた端子部５ｂ２と他端に設けられた接点５ｄ２を有する折返し部５ｃ２とを具備する。折返し部５ｃ２は、他端部を横たわったＶ字状に約１４５度曲げて形成される。また、接点５ｄ２は、他端部の先端部をやや平らなＶ字状に約１１０度曲げて形成される。端子部５ｂ２は、回路基板４にはんだ付けなどにより固定されている。折返し部５ｃ２は、接点５ｄ２が第１の切り欠き部６ａから下に向くように、第１の切り欠き部６ａに配置されている。
図３及び図４に示すように、接点端子５ａ２の折返し部５ｃ２は、端子部５ｂ２と比べて開口３ａ側に配置され、そして接点端子５ａ２が挿入方向Ａと平行に配置されている。また、図３に示すように、接点端子５ａ１、５ａ３においては、折返し部５ｃ１、５ｃ３は、端子部５ｂ１、５ｂ３と比べてそれぞれ開口３ａ側に配置されている。各接点端子５ａ１、５ａ３は、端子部５ｂ２と５ｂ３との距離と同様、端子部５ｂ１と５ｂ２との距離は、折返し部５ｃ２と５ｃ３との距離と同様、折返し部５ｃ１と５ｃ２との距離よりも大きくなるように、接点端子５ａ２に傾いて配置される。さらに、各接点端子５ａ１、５ａ２、５ａ３は、その接点がケース３の下側に付勢されるように、形成されている。そのことにより、各折返し部５ｃ１、５ｃ２、５ｃ３は、第１の切り欠き部６ａから挿入室７内に向かって下側に突出する。その結果、ＩＣカード８０が挿入室７の一番奥まで挿入されたとき、３つの接点端子５ａ１、５ａ２、５ａ３は前列に配列された接点Ｃ１、Ｃ２、Ｃ３にそれぞれ接触する。
【００２４】
同様に、２つの接点端子５ａ５、５ａ７は、同じ形状のものである。それ故、下記説明では、接点端子５ａ５についてのみ代表して説明する。
接点端子５ａ５は、一端に設けられた端子部５ｂ５と他端に設けられた接点５ｄ５を有する折返し部５ｃ５とを具備する。折返し部５ｃ５は、他端部を横たわったＶ字状に約１４５度曲げて形成される。また、接点５ｄ５は、他端部の先端部をやや平らなＶ字状に約１１０度曲げて形成される。端子部５ｂ５は、回路基板４にはんだ付けなどにより固定されている。折返し部５ｃ５は、接点５ｄ５が第２の切り欠き部６ｂから下に向くように、第２の切り欠き部６ｂに配置されている。
図３に示すように、接点端子５ａ５、５ａ７においては、折返し部５ｃ５、５ｃ７は、端子部５ｂ５、５ｂ７と比べてそれぞれ開口３ａ側に配置されている。各接点端子５ａ５、５ａ７は、端子部５ｂ５と５ｂ７との距離が折返し部５ｃ５と５ｃ７との距離よりも大きくなるように、３つの接点端子５ａ１、５ａ２、５ａ３に傾いて配置されている。さらに、各接点端子５ａ５、５ａ７は、その接点がケース３の下側に付勢されるように、形成されている。そのことにより、各折返し部５ｃ５、５ｃ７は、第２の切り欠き部６ｂから挿入室７内に向かって下側に突出する。その結果、ＩＣカード８０が挿入室７の一番奥まで挿入されたとき、２つの接点端子５ａ５、５ａ７は後列に配列された接点Ｃ５、Ｃ７にそれぞれ接触する。
【００２５】
また、上述したように、３つの接点端子５ａ１、５ａ２、５ａ３が、２つの接点端子５ａ５、５ａ７の間に配置されている。そのことにより、挿入室７の奥行きＬ１（図４）を後列の接点Ｃ５、Ｃ６、Ｃ７とＩＣカード８０（図８）の前端８０ａとの距離Ｌ２（図８）に実質的に等しいものにすることができる。さらに、３つの接点端子５ａ１、５ａ２、５ａ３と２つの接点端子５ａ５、５ａ７は、図４に示すように、互いに重なり合うことなく回路基板４の同一表面に配置されている。そのことにより、ケース３の高さを低減することができる。このように、ＩＣカード入出力装置１の寸法を大幅に低減できる。
【００２６】
３つの接点端子５ａ１、５ａ２、５ａ３と２つの接点端子５ａ５、５ａ７とを回路基板４に固定するという上記の説明以外に、３つの接点端子５ａ１、５ａ２、５ａ３と２つの接点端子５ａ５、５ａ７とをケース３又は内蓋６に固定する構成としても良い。
【００２７】
次に、接点端子５ａ２の形状について、図６の（ａ）、図６の（ｂ）、図７の（ａ）、及び図７の（ｂ）を参照して具体的に説明する。
図６の（ａ）は図１に示した接点端子がＩＣカードの主面上に乗り上げる前の状態を示す説明図であり、図６の（ｂ）は同接点端子がＩＣカードの主面上に乗り上げた後の状態を示す説明図である。図７の（ａ）は図１に示した接点端子を示す平面図であり、図７の（ｂ）は図６の（ａ）のＶＩＩｂ−ＶＩＩｂ線で断面をとった断面図である。
図６の（ａ）及び図６の（ｂ）に示すように、接点端子５ａ２と従来の接点端子との相違点は、本発明の接点端子５ａ２が接点５ｄ２に比べて開口３ａ側に設けられた折返し部５ｃ２を有することである。このため、折返し部５ｃ２がＩＣカード８０の主面上に乗り上げたとき、ＩＣカード８０の前端から与えられる力は折返し部５ｃ２の傾いた面に作用し、接点５ｄ２の自由端はＩＣカード８０の前端からの力により上に押し上げられる。それ故、折返し部５ｃ２と接点５ｄ２との間のテーパスロープは、自由端の乗り上げにより小さくなる。従って、接点５ｄ２のＩＣカード８０上への乗り上げは、さらに容易なものとなり、それ故、図１１の（ａ）及び図１１の（ｂ）に示す従来例での変形や損傷が接点端子５ａ２に生じない。例えば、接点５ｄ２には、ＩＣカード８０の前端からの前記押す力が作用しない。それ故、接点５ｄ２での永久変形の発生を防止できる。さらに、接点端子５ａ２において、部分Ｌ６は接点５ｄ２のバネ部材として効果的に働いている。それ故、従来例の接点端子に比べて接点端子５ａ２の長さを小さくすることができる。
【００２８】
また、接点端子５ａ１、５ａ２、５ａ３、５ａ５、５ａ７の配列によれば、各接点端子５ａ１、５ａ２、５ａ３、５ａ５、５ａ７の幅Ｗを従来の接点端子に比べて大きくすることができる。例えば、接点幅Ｗを、改善された本発明に係る接点端子５ａ１、５ａ２、５ａ３、５ａ５、５ａ７の配列により、接点の２つの接点のピッチＰ１（図３）の１／２よりも大きくすることができる。さらに、接点の最も広い端の幅Ｗ１（図７の（ａ））をピッチＰ１よりも大きくすることができる。このことにより、接点端子５ａ２内に生じる応力を低減することができる。その結果、接点端子５ａ１、５ａ２、５ａ３、５ａ５、５ａ７の耐久性を向上することができ、接点端子５ａ１、５ａ２、５ａ３、５ａ５、５ａ７の信頼性も向上することができる。さらに、接点端子５ａ１、５ａ２、５ａ３、５ａ５、５ａ７の２つの接点端子の絶縁距離を十分に大きくすることができる。そのことにより、導電性の異物の付着等による２つの接点端子の短絡を防止することができる。
さらに、図７の（ｂ）に示すように、折返し部５ｃ２の断面の形状は、前端８０ａと接触する外側表面５ｅ２が内側表面５ｆ２よりも大きく曲げられるように、アーチ状に形成されている。そのことにより、折返し部５ｃ２はＩＣカード８０の主面上にスムーズに乗り上げることができる。その結果、ＩＣカード８０の主面に損傷を与えることを防止することができる。
尚、折返し部５ｃ２の断面形状において、図７の（ｃ）に示すように、外側表面５ｅ２’及び内側表面５ｆ２’の両端部だけを折り曲げても良い。
【００２９】
《実施例２》
本発明の第２の実施例としてのＩＣカード出力装置は、実施例１のＩＣカード入出力装置１と実質的に同一の構造をもつが、ＩＣカードに記憶されたデータの読み取りだけを行うものである。
すなわち、本発明の実施例２であるＩＣカード出力装置は、ＩＣカードを受け入れる挿入室、前記ＩＣカードの前列に配列された複数の接点と接触する複数の接点端子、及び前記ＩＣカードの後列に配列された複数の接点と接触する少なくとも２つの接点端子を備えたＩＣカード出力装置であって、
前記複数の接点端子が、前記挿入室内で前記少なくとも２つの接点端子の間に配置されている。
また、前記前列及び後列は前記ＩＣカードの挿入方向と直角な方向であり、前記後列が前記前列に比べて前記挿入室の開口側である。
また、前記複数の接点端子のうち２つの接点端子の距離が、前記ＩＣカードの挿入方向と反対の方向に向かって小さくなり、前記少なくとも２つの接点端子の２つの接点端子の距離が前記ＩＣカードの挿入方向と反対の方向に向かって小さくなっている。
また、前記ＩＣカードの前列に配列された複数の接点と接触する複数の接点端子、及び前記ＩＣカードの後列に配列された複数の接点と接触する少なくとも２つの接点端子を備えたＩＣカード出力装置であって、
前記複数の各接点端子が、端子部と前記前列に配列された前記複数の接点と接触する折返し部とを具備し、前記折返し部が前記端子部側に向かって曲げられ、前記折返し部が前記端子部に比べて前記挿入室の前記開口側に配置され、
前記少なくとも２つの各接点端子が、端子部と前記後列に配列された前記複数の接点と接触する折返し部とを具備し、前記折返し部が前記端子部側に向かって曲げられ、前記折返し部が前記端子部に比べて前記挿入室の前記開口側に配置されている。
本実施例２のＩＣカード出力装置では、ＩＣカードを受け入れる挿入室内において、ＩＣカードの前列に配列された複数の接点と接触する複数の接点端子が、ＩＣカードの後列に配列された複数の接点と接触する少なくとも２つの接点端子の間に配置されている。このため、挿入室の奥行き寸法を低減することができ、ＩＣカード出力装置をきわめて小型にすることができる。
【００３０】
【発明の効果】
本発明のＩＣカード入出力装置、及びＩＣカード出力装置によれば、複数の接点端子がＩＣカードの前列に配列された複数の接点に接触し、少なくとも２つの接点端子がＩＣカードの後列に配列された複数の接点に接触する。さらに、複数の接点端子は、挿入室内で少なくとも２つの接点端子の間に配置されている。そのことにより、挿入室の奥行き寸法を後列に配列された複数の接点とＩＣカードの前端との間の距離にほぼ等しくすることができる。このため、ＩＣカード入出力装置、及びＩＣカード出力装置をきわめて小型にすることができる。
【図面の簡単な説明】
【図１】本発明の実施例１であるＩＣカード入出力装置を示す分解斜視図。
【図２】図１に示したＩＣカード入出力装置を示す正面図。
【図３】図１に示したＩＣカード入出力装置のＩＣカード挿入完了前における状態を示す平面図。
【図４】図３のＩＶ−ＩＶ線で断面をとった断面図。
【図５】図１に示したＩＣカード入出力装置のＩＣカード挿入完了後における状態を示す構造図。
【図６】図１に示した接点端子がＩＣカードの主面上に乗り上げる前後の状態を示す説明図。
【図７】図１に示した接点端子を示す構造図。
【図８】ＩＣカードの８つの接点の配列を示す平面図。
【図９】従来のＩＣカード入出力装置を示す正面図。
【図１０】図９に示したＩＣカード入出力装置を示す構造図。
【図１１】図９に示したＩＣカード入出力装置の接点端子がＩＣカードの主面上に乗り上げる前後の状態を示す説明図。
【図１２】他の従来のＩＣカード入出力装置での接点端子の配列を示す説明図。
【図１３】図１２に示したＩＣカード入出力装置の接点端子を示す側面図。
【符号の説明】
３ａ                                        開口
５ａ１、５ａ２、５ａ３  接点端子
５ａ５、５ａ７                    接点端子
５ｂ１、５ｂ２、５ｂ３  端子部
５ｂ５、５ｂ７                    端子部
５ｃ１、５ｃ２、５ｃ３  折返し部
５ｃ５、５ｃ７                    折返し部
７                                            挿入室
【図１】
0003631320.tif 000002
【図２】
0003631320.tif 000003
【図３】
0003631320.tif 000004
【図４】
0003631320.tif 000005
【図５】
0003631320.tif 000006
【図６】
0003631320.tif 000007
【図７】
0003631320.tif 000008
【図８】
0003631320.tif 000009
【図９】
0003631320.tif 000010
【図１０】
0003631320.tif 000011
【図１１】
0003631320.tif 000012
【図１２】
0003631320.tif 000013
【図１３】
0003631320.tif 000014